【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
構成体を形成するためのブランクであって、該ブランクは、
複数の隣接したパネルと前記隣接したパネルのうちの少なくとも１つのパネルの少なくとも一部を覆うマイクロ波エネルギー相互作用要素とを備え、それぞれのパネルが第１の方向に延在する第１の寸法と、前記第１の方向に垂直な第２の方向に延在する第２の寸法とを有し、前記隣接した複数のパネルは前記第２の方向に延在する第１の周囲端を含む該ブランクの複数の周囲端を画定しており、
前記隣接したパネルを横切って前記第２の方向に延在する横断開裂線と、前記横断開裂線に接する斜開裂線と、前記斜開裂線に隣接するカットアウトとによって少なくとも部分的に画定される着脱可能部位を含む、ブランク。
【請求項２】
前記カットアウトは前記第１の周囲端から内方に延在する、請求項１に記載のブランク。
【請求項３】
前記カットアウトはタブを少なくとも部分的に画定する、請求項１または２に記載のブランク。
【請求項４】
前記タブは前記第１の周囲端に隣接する、請求項３に記載のブランク。
【請求項５】
前記斜開裂線は前記タブと前記横断開裂線の間に延在する、請求項３または４に記載のブランク。
【請求項６】
前記複数のパネルが、
メインパネルと、
前記メインパネルに結合する第１の副パネルと、
前記メインパネルに結合する第２の副パネルと、
前記第１の副パネルに結合する第１の主パネルと、
前記第２の副パネルに結合する第２の主パネルと、を備え、
前記メインパネル、前記第１の副パネル、前記第２の副パネル、前記第１の主パネル、および前記第２の主パネルが、それぞれ前記第１の方向に延在する複数の平行な各折り線に沿って互いに結合し、
前記カットアウトが前記第２の副パネル内に少なくとも部分的に配置される、請求項１乃至５のいずれか１項に記載のブランク。
【請求項７】
前記カットアウトは、前記タブと前記第２の主パネルの間に延在する、請求項６に記載のブランク。
【請求項８】
前記第２の副パネルは前記第２の方向に延在する折り線を含み、前記カットアウトは、前記タブと前記折り線の間に延在する、請求項６に記載のブランク。
【請求項９】
前記カットアウトは、前記複数の隣接したパネルのうちの少なくとも一つのパネル内で、前記第１の周囲端から遠位に配置される、請求項１に記載のブランク。
【請求項１０】
前記斜開裂線は第１の斜開裂線であり、
前記着脱可能部位は第２の斜開裂線によってさらに画定される、請求項９に記載のブランク。
【請求項１１】
前記第１の斜開裂線および前記第２の斜開裂線は前記カットアウトに向かって収束するように延在する、請求項１０に記載のブランク。
【請求項１２】
前記第１の斜開裂線は前記カットアウトと前記横断開裂線の間に延在し、前記第２の斜開裂線は前記カットアウトと前記ブランクの前記第１の周囲端との間に延在する、請求項１０または１１に記載のブランク。
【請求項１３】
前記複数のパネルが、
メインパネルと、
前記メインパネルに結合する第１の副パネルと、
前記メインパネルに結合する第２の副パネルと、
前記第１の副パネルに結合する第１の主パネルと、
前記第２の副パネルに結合する第２の主パネルと、を備え、
前記メインパネル、前記第１の副パネル、前記第２の副パネル、前記第１の主パネル、および前記第２の主パネルが、それぞれ前記第１の方向に延在する複数の平行な各折り線に沿って互いに結合し、
前記カットアウトが前記第２の副パネル内に少なくとも部分的に配置され、
前記メインパネルは前記第１の斜開裂線および前記第２の斜開裂線の各々の少なくとも一部分を含む、請求項１０乃至１２のいずれか１項に記載のブランク。
【請求項１４】
前記カットアウトは前記メインパネル内にさらに配置される、請求項１３に記載のブランク。
【請求項１５】
前記複数のパネルは、
弓形の折り線に沿って前記メインパネルに結合されているレンズ形状のエンドパネルと、
第１の曲線の折り線に沿って前記第１の主パネルに結合されている第１の部分的エンドパネルと、
第２の曲線の折り線に沿って前記第２の主パネルに結合されている第２の部分的エンドパネルと、
をさらに含む、請求項６乃至１４のいずれか１項に記載のブランク。
【請求項１６】
前記マイクロ波エネルギー相互作用要素が、サセプタ、ホイル、セグメントホイル、あるいはそのいずれかの組み合わせを含む、請求項１乃至１５のいずれか１項に記載のブランク。
【請求項１７】
前記マイクロ波エネルギー相互作用要素は、入射するマイクロ波エネルギーの少なくとも一部を熱エネルギーに変換する、請求項１乃至１５のいずれか１項に記載のブランク。
【請求項１８】
食料品を加熱し、焦げ目をつけ、および／またはカリカリに仕上げるための構成要素であって、該構成要素は、
対向した構成の第１のメインパネルおよび第２のメインパネルと、
、前記第１のメインパネルおよび前記第２のメインパネルに各折り線に沿って結合されていて内部空間を少なくとも部分的に画定する、対向した構成の第１の副パネルおよび第２の副パネルと、
該内部空間に面する側において、前記第１のメインパネル、前記第２のメインパネル、前記第１の副パネル、および前記第２の副パネルのうちの少なくとも１つのパネルの少なくとも一部分を覆っているマイクロ波エネルギー相互作用要素と、を備え、
前記構成要素は、前記第１のメインパネル、前記第２のメインパネル、前記第１の副パネル、および前記第２の副パネルのうちの少なくとも１つのパネルの少なくとも一部分を備える着脱可能部位を含み、該着脱可能部位は、
前記各パネルを横切って延在する横断開裂線と、
前記横断開裂線に接する斜開裂線と、
前記斜開裂線に隣接するカットアウトと、
によって少なくとも部分的に画定される、食料品を加熱し、焦げ目をつけ、および／またはカリカリに仕上げるための構成要素。
【請求項１９】
前記カットアウトは前記構成要素の第１の端部から内方に延在する、請求項１８に記載の構成要素。
【請求項２０】
前記カットアウトは前記第２の副パネル内に配置され、
前記斜開裂線は前記第１のメインパネル内に配置される、請求項１８または１９に記載の構成要素。
【請求項２１】
前記カットアウトはタブを少なくとも部分的に画定する、請求項１８乃至２０のいずれか１項に記載の構成要素。
【請求項２２】
前記タブは前記構成要素の前記第１の端部に隣接して配置される、請求項２１に記載の構成要素。
【請求項２３】
前記斜開裂線は前記タブと前記横断開裂線の間に延在する、請求項２１または２２に記載の構成要素。
【請求項２４】
前記カットアウトは前記タブと前記第２の主パネルの間に延在する、請求項２１乃至２３のいずれか１項に記載の構成要素。
【請求項２５】
前記カットアウトは前記タブと前記第２の主パネルの間に部分的に延在する、請求項２１乃至２３のいずれか１項に記載の構成要素。
【請求項２６】
折り線が前記第２の副パネルの長さに沿って延在され、
前記カットアウトは前記タブと前記折り線の間に延在する、請求項２１乃至２３のいずれか１項に記載の構成要素。
【請求項２７】
前記カットアウトは、前記第１のメインパネル、前記第２のメインパネル、前記第１の副パネル、および前記第２の副パネルのうちの少なくとも１つのパネル内において、前記構成要素の第１の端部から遠位に配置されている、請求項１８に記載の構成要素。
【請求項２８】
前記斜開裂線は第１の斜開裂線であり、
前記着脱可能部位はさらに第２の斜開裂線によって画定される、請求項２７に記載の構成要素。
【請求項２９】
前記第１の斜開裂線および前記第２の斜開裂線は前記カットアウトに向かって収束するように延在する、請求項２８に記載の構成要素。
【請求項３０】
前記第１の斜開裂線は前記カットアウトと前記横断開裂線の間に延在し、前記第２の斜開裂線は前記カットアウトと前記構成要素の前記第１の端部との間に延在する、請求項２８または２９に記載の構成要素。
【請求項３１】
前記カットアウトは前記第２の副パネル内に少なくとも部分的に配置され、前記第１のメインパネルは、前記第１の斜開裂線および前記第２の斜開裂線の各々の少なくとも一部分を含む、請求項２８乃至３０のいずれか１項に記載の構成要素。
【請求項３２】
折り線が前記第２の副パネルの長さに沿って延在され、
前記カットアウトは前記第１のメインパネルと前記折り線の間に延在する、請求項２７乃至３１のいずれか１項に記載の構成要素。
【請求項３３】
前記カットアウトは前記メインパネル内に配置される、請求項３１または３２に記載の構成要素。
【請求項３４】
前記第１の端部とは反対側の前記第１のメインパネルの第２の端部に折り曲げ可能に結合されている第１のエンドパネルと、
前記第１の端部とは反対側の前記第２のメインパネルの第２の端部に折り曲げ可能に結合されている第２のエンドパネルと、を更に備え、
前記第１のエンドパネルおよび前記第２のエンドパネルは対向して向かい合う関係になっている、請求項１８乃至３３のいずれか１項に記載の構成要素。
【請求項３５】
前記第１のエンドパネルおよび前記第２のエンドパネルは、それぞれ弓形の折り線に沿って、前記第１のメインパネルおよび前記第２のメインパネルに折り曲げ可能に結合されている、請求項３４に記載の構成要素。
【請求項３６】
前記第１のエンドパネルおよび前記第２のエンドパネルは重層構成で前記内部空間に向かって折り曲げられるようになっている、請求項３４または３５に記載の構成要素。
【請求項３７】
前記マイクロ波エネルギー相互作用要素が、サセプタ、ホイル、セグメントホイル、あるいはそのいずれかの組み合わせを含む、請求項１８乃至３６のいずれか１項に記載の構成要素。
【請求項３８】
前記マイクロ波エネルギー相互作用要素はサセプタを含み、
前記サセプタは、前記第１のメインパネル、前記第２のメインパネル、前記第１の副パネル、および前記第２の副パネルの各パネルの前記内部空間に向いている側全てを覆っている、請求項１８乃至３６のいずれか１項に記載の構成要素。